(57)【要約】【課題】本発明は、利用者に対して操作又は発話を行わせることなく、所望の放送チャネルを適切に選択することができる。【解決手段】選択部３１１ａは、テーブル記憶部３０９に記憶されている複数のチャネル番号の中からいずれかを選択チャネル番号として選択する。一致度算出部３１１ｂは、量子化部３０３により出力された音信号と、量子化部３０７により出力された音信号とが一致している度合いを示す一致度を算出する。選択制御部３１１ｃは、一致度が第１閾値を超える場合には選択チャネル番号を一致チャネル番号として記憶する。一方、選択制御部３１１ｃは、一致度が第１閾値を超えていない場合には選択チャネル番号とは異なるチャネル番号を選択部３１１ａに選択させる。【選択図】図４
2007274548.tif 000002
【特許請求の範囲】
【請求項１】
放送チャネルの選択に用いるチャネルデータを複数記憶するテーブル記憶部と、
複数の前記チャネルデータの中からいずれかを選択チャネルデータとして選択する選択部と、
前記選択チャネルデータを用いて信号を受信し、受信した前記信号を音信号として出力する受信部と、
外部装置から出力された放送音を取得する放送音取得部と、                     
前記受信部により出力された前記音信号と前記放送音取得部により取得された前記放送音とが一致している度合いを示す一致度を算出する一致度算出部と、
前記一致度が第１閾値を超える場合には前記選択チャネルデータを一致チャネルデータとして決定し、前記一致度が前記第１閾値を超えていない場合には前記選択チャネルデータとは異なるチャネルデータを前記選択部に選択させる選択制御部とを備え、
前記受信部は、前記一致チャネルデータが決定された場合には、前記一致チャネルデータを用いて信号を受信することを特徴とする携帯通信装置。
【請求項２】
前記選択部、前記受信部、前記放送音取得部、前記一致度算出部及び前記選択制御部における動作処理を所定時間間隔毎に実行させる動作制御部を備えることを特徴とする請求項１に記載の携帯通信装置。
【請求項３】
前記テーブル記憶部に記憶されている前記チャネルデータの全てが一通り選択された回数を計数する計数部と、
前記回数が第２閾値を超える場合には、前記選択部、前記受信部、前記放送音取得部、前記一致度算出部及び前記選択制御部における動作処理を中止する動作制御部と
を備えることを特徴とする請求項１に記載の携帯通信装置。
【請求項４】
放送チャネルの選択に用いるチャネルデータのそれぞれの中から、いずれかを選択チャネルデータとして選択する第１ステップと、
前記選択チャネルデータを用いて信号を受信し、受信した前記信号を音信号として出力する第２ステップと、
外部装置から出力された放送音を取得する第３ステップと、                     
受信された前記信号に基づいて出力された前記音信号と、取得された前記放送音に基づいて出力された音信号とが一致している度合いを示す一致度を算出する第４ステップと、
前記一致度が第１閾値を超える場合には前記選択チャネルデータを一致チャネルデータとして決定し、前記一致度が前記第１閾値を超えていない場合には前記選択チャネルデータとは異なるチャネルデータを前記選択部に選択させる第５ステップと、
前記第２ステップでは、前記一致チャネルデータが決定された場合には、前記一致チャネルデータを用いて信号を受信することを特徴とする受信制御方法。
【請求項５】
前記第１ステップ乃至前記第５ステップにおける動作処理を所定時間間隔毎に実行させる第６ステップを備えることを特徴とする請求項４に記載の受信制御方法。
【請求項６】
前記チャネルデータの全てが一通り選択された回数を計数する第６ステップと、
前記回数が第２閾値を超える場合には、前記第１ステップ乃至前記第５ステップにおける動作処理を中止する第７ステップと
を備えることを特徴とする請求項４に記載の受信制御方法。
【発明の詳細な説明】
【技術分野】
【０００１】
本発明は、テレビ局又はラジオ局等の放送局で用いられている放送チャネルを介して送信された信号を受信する携帯通信装置及び受信制御方法に関する。
【背景技術】
【０００２】
従来、テレビ局又はラジオ局等の放送局で用いられている放送チャネルを介して受信した信号を用いて、当該信号に含まれている放送音を出力するラジオ、テレビなどの放送受信装置が存在している。
【０００３】
例えば、放送受信装置の中には、放送受信装置の利用者（以下、利用者と適宜する）の音声を認識し、認識した音声の中から、放送分野（スポーツなど）に関係する単語（野球など）を抽出する放送受信装置が存在している（例えば、特許文献１参照）。
【０００４】
当該放送受信装置は、抽出した単語と、放送チャネルを介して受信した信号に含まれている単語とが共通しているか否か判定し、両者の単語が共通している場合には当該放送チャネルを設定する（判定処理）。
【０００５】
一方、放送受信装置は、両者の単語が共通していない場合には、他の放送チャネルを選択して同様の判定処理を実行する。これにより、放送受信装置は、利用者の音声だけで、所望の放送分野に対応する放送チャネルを設定することができるため、放送チャネルの設定に伴う煩雑な操作を利用者に行わせないようにすることができる。
【特許文献１】特開平１０−２４７８５７号公報
【発明の開示】
【発明が解決しようとする課題】
【０００６】
しかしながら、上記放送受信装置の利用者は、所望の放送分野を意識しながら当該所望の放送分野に関係する単語を発しなければならない。このため、利用者は、所望の放送分野に関係する適切な単語を瞬時に想起できない場合には、所望の放送分野に対応する放送チャネルを短時間で設定させることができない。
【０００７】
また、利用者が発した単語に関係する放送チャネルは、同一時刻において複数存在する場合がある。この場合には、上記放送受信装置は、同一時刻の複数の放送チャネルの中から、所望の放送チャネルを適切に選択することができない場合があった。
【０００８】
そこで、本発明は以上の点に鑑みて成されたものであり、利用者に対して操作又は発話を行わせることなく、所望の放送チャネルを適切に選択することができる携帯通信装置及び受信制御方法を提供することを目的とする。
【課題を解決するための手段】
【０００９】
上記課題を解決するために、本発明の第１の特徴は、放送チャネルの選択に用いるチャネルデータを複数記憶するテーブル記憶部と、複数の前記チャネルデータの中からいずれかを選択チャネルデータとして選択する選択部と、前記選択チャネルデータを用いて信号を受信し、受信した前記信号を音信号として出力する受信部と、外部装置から出力された放送音を取得する放送音取得部と、前記受信部により出力された前記音信号と前記放送音取得部により取得された前記放送音とが一致している度合いを示す一致度を算出する一致度算出部と、前記一致度が第１閾値を超える場合には前記選択チャネルデータを一致チャネルデータとして決定し、前記一致度が前記第１閾値を超えていない場合には前記選択チャネルデータとは異なるチャネルデータを前記選択部に選択させる選択制御部と、前記一致チャネルデータが決定された場合には、前記一致チャネルデータを用いて信号を受信する受信部とを備えることを要旨とする。
【００１０】
ここで、外部装置の利用者が所望の放送チャネル（例えば、テレビのチャネル）を設定し、当該利用者が当該放送チャネルに対応する放送内容を視聴している場合を考える。
【００１１】
この場合には、外部装置の周辺に存在する携帯通信装置は、放送音取得部により出力された音信号と、受信部により出力された音信号との一致度が第１閾値を超える場合には、選択チャネルデータを一致チャネルデータとして決定する。
【００１２】
これにより、携帯通信装置は、一致チャネルデータを決定した場合には、外部装置の利用者が視聴している放送内容に対応する放送チャネルと同様の放送チャネルを設定することができる。このため、携帯通信装置は、利用者に対して操作又は発話を行わせることなく、所望の放送チャネルを適切に設定することができる。
【００１３】
この結果、外部装置（例えば、テレビ）の利用者が外部装置からの放送内容を視聴している場合には、当該放送内容に対応する放送チャネルが携帯通信装置に自動的に設定されることとなる。
【００１４】
このため、利用者は、放送内容を視聴した後に携帯通信装置を所持して外出した場合には、今まで視聴していたテレビ番組等の放送内容に対応する放送チャネルを設定する必要がないため、当該放送内容を携帯通信装置において即座に視聴することができる。
【００１５】
本発明の第２の特徴は、前記選択部、前記受信部、前記放送音取得部、前記一致度算出部及び前記選択制御部における動作処理を所定時間間隔毎に実行させる動作制御部を備えることを要旨とする。
【００１６】
本発明の第３の特徴は、前記テーブル記憶部に記憶されている前記チャネルデータの全てが一通り選択された回数を計数する計数部と、前記回数が第２閾値を超える場合には、前記選択部、前記受信部、前記放送音取得部、前記一致度算出部及び前記選択制御部における動作処理を中止する動作制御部とを備えることを要旨とする。
【発明の効果】
【００１７】
本発明の特徴によれば、利用者に対して操作又は発話を行わせることなく、所望の放送チャネルを適切に選択することができる。
【発明を実施するための最良の形態】
【００１８】
［第１実施形態］
（無線通信システムの全体概略構成）
図１は、本実施形態に係る無線通信システムの全体概略構成図である。本無線通信システムは、放送局１００と、放送受信装置２００と、携帯通信装置３００とを備えている。
【００１９】
放送局１００は、放送局１００に割当てられている放送チャネルを介して、放送音（音声、楽曲など）又は映像などを含む信号を放送受信装置２００及び携帯通信装置３００に送信する。例えば、放送局１００には、テレビ局、ラジオ局、又は映像・音声などのコンテンツをインターネット経由で配信するコンテンツ配信装置等が含まれている。
【００２０】
本実施形態に係る放送チャネルは、放送電波周波数であるとして説明するが、これに限定されないのは勿論のことである。例えば、放送チャネルは、放送電波周波数及びタイムスロットによって構成されてもよい。
【００２１】
放送受信装置２００は、放送局１００で用いられている放送電波周波数を設定し、設定した放送電波周波数を介して送信された信号を受信する。放送受信装置２００は、受信した信号に対応する放送音又は映像を出力する。放送受信装置２００には、テレビ又はラジオ等が含まれている。なお、放送受信装置２００は、外部装置を構成する。
【００２２】
携帯通信装置３００は、携帯可能に構成されている。携帯通信装置３００は、放送受信装置２００から出力された放送音を取得する。また、携帯通信装置３００は、放送局１００で用いられている放送電波周波数を設定し、設定した放送電波周波数を介して送信された信号を受信する。携帯通信装置３００には、テレビ機能付き携帯電話機、ラジオ機能付き携帯電話機、テレビ・ラジオ機能付き携帯電話機、携帯型テレビ、携帯型ラジオ等が含まれている。
【００２３】
（携帯通信装置の機能ブロック構成）
図２は、携帯通信装置３００の機能ブロック図である。図２に示すように、携帯通信装置３００は、無線部３０１と、量子化部３０３と、マイクロホン３０５と、量子化部３０７と、制御部３１１と、テーブル記憶部３０９と、チャネルデータ記憶部３１３と、スピーカー３１５と、表示部３１７とを備える。
【００２４】
無線部３０１は、アンテナ３０１ａ、量子化部３０３及び制御部３１１と接続される。無線部３０１は、制御部３１１によって設定されたチャネル番号（後述する選択チャネル番号、一致チャネル番号）に基づいて、当該チャネル番号に対応する放送電波周波数を介して送信された信号を受信する。
【００２５】
量子化部３０３は、無線部３０１及び制御部３１１と接続される。量子化部３０３は、無線部３０１により出力された信号に含まれている音信号をディジタル信号（音信号）に変換する。なお、無線部３０１及び量子化部３０３は、受信部を構成する。
【００２６】
マイクロホン３０５は、量子化部３０７と接続される。マイクロホン３０５は、携帯通信装置３００の周辺の音を取得する。例えば、図１に示すように、携帯通信装置３００が放送受信装置２００の周辺に備えられている場合には、マイクロホン３０５は、放送受信装置２００から出力された放送音を取得する。
【００２７】
量子化部３０７は、マイクロホン３０５及び制御部３１１と接続される。量子化部３０７は、量子化部３０３と同様の機能を有する。なお、マイクロホン３０５及び量子化部３０７は、放送音取得部を構成する。
【００２８】
テーブル記憶部３０９は、図３に示す選局テーブルを記憶する。図３に示すように、選局テーブルは、放送局１００で用いられている放送電波周波数の選択に用いるチャネル番号（チャネルデータ）を有している。
【００２９】
制御部３１１は、テーブル記憶部３０９に記憶されているチャネル番号の選択、スピーカー３１５に出力される音信号のアナログ変換処理、表示部３１７に出力される映像信号の処理などを実行する。
【００３０】
図４は、制御部３１１の機能ブロック図である。図４に示すように、制御部３１１は、選択部３１１ａと、一致度算出部３１１ｂと、選択制御部３１１ｃと、計数部３１１ｄと、動作制御部３１１ｅとを備える。
【００３１】
選択部３１１ａは、テーブル記憶部３０９に記憶されている複数のチャネル番号の中からいずれかを選択チャネル番号として選択する。
【００３２】
一致度算出部３１１ｂは、無線部３０１により受信された信号である音信号と、マイクロホン３０５により取得された放送音とが一致している度合いを示す一致度を算出する。
【００３３】
本実施形態では、一致度算出部３１１ｂは、量子化部３０３により出力された音信号と、量子化部３０７により出力された音信号（放送音）とが一致している度合いを示す一致度を算出する。
【００３４】
選択制御部３１１ｃは、一致度が第１閾値を超える場合には選択チャネル番号を一致チャネル番号として決定（記憶）する。一方、選択制御部３１１ｃは、一致度が第１閾値を超えていない場合には選択チャネル番号とは異なるチャネル番号を選択部３１１ａに選択させる。
【００３５】
計数部３１１ｄは、テーブル記憶部３０９に記憶されているチャネルデータの全てが一通り選択された回数を計数する。計数部３１１ｄは、計数した回数を一巡カウンタ値として記憶する。
【００３６】
動作制御部３１１ｅは、一巡カウンタ値が第２閾値を超える場合には、携帯通信装置３００を構成する複数の部（選択部３１１ａ、一致度算出部３１１ｂ及び選択制御部３１１ｃなど）のうちのいずれか１又は２以上の部における動作処理を中止する。
【００３７】
（携帯通信装置の動作）
次に、上述した実施形態に係る携帯通信装置において動作する受信制御方法について説明する。図５は、本実施形態に係る受信制御方法の動作フローを示している。
【００３８】
図５に示すように、Ｓ１０１において、携帯通信装置３００は、一巡カウンタ値をリセットする。
【００３９】
Ｓ１０３において、携帯通信装置３００は、本動作処理を実行する前の選択チャネル番号を記憶している場合には、当該選択チャネル番号を読み出す。一方、携帯通信装置３００は、本動作処理を実行する前の選択チャネル番号を記憶していない場合には、選局テーブルに含まれている最初のチャネル番号を選択チャネル番号として読み出す。
【００４０】
Ｓ１０５において、携帯通信装置３００は、無線部３０１を用いて、選択チャネル番号に対応する放送電波周波数を介して送信された信号を受信する。携帯通信装置３００は、受信した信号に含まれている音信号をディジタル信号（音信号）に変換する。
【００４１】
Ｓ１０７において、携帯通信装置３００は、放送受信装置２００の周辺に配置されている場合には、マイクロホン３０５を用いて、放送受信装置２００から出力された放送音を取得する。携帯通信装置３００は、取得した放送音に対応する音信号をディジタル信号（音信号）に変換する。
【００４２】
Ｓ１０９において、携帯通信装置３００は、無線部３０１側の量子化部３０３を介して出力された音信号（以下、無線出力信号と適宜省略する）と、マイクロホン３０５側の量子化部３０７を介して出力された音信号（以下、マイクロホン出力信号と適宜省略する）との一致の度合いを示す一致度（相関値）を算出する。
【００４３】
例えば、携帯通信装置３００は、所定期間内における無線出力信号とマイクロホン出力信号とのうちのいずれか一方の信号を固定し、他方の信号を時間的にΔｔづつずらしながら、両者の信号の演算処理（ここでは加算）を行う。
【００４４】
そして、Ｓ１１１において、演算処理の結果である一致度が第１閾値を超えている場合には、携帯通信装置３００は、両者の信号が一致している可能性が高いため、Ｓ１１３の処理に移る。一方、一致度が第１閾値を超えていない場合には、携帯通信装置３００は、両者の信号が一致している可能性が低いため、Ｓ１１５の処理に移る。
【００４５】
Ｓ１１３において、携帯通信装置３００は、選択チャネル番号を一致チャネル番号として記憶する。
【００４６】
Ｓ１１５において、携帯通信装置３００は、チャネル番号＝選択チャネル番号＋１を算出する。
【００４７】
Ｓ１１７において、携帯通信装置３００は、チャネル番号＝最大番号＋１が成立するか否か判定する。
【００４８】
携帯通信装置３００は、チャネル番号＝最大番号＋１が成立する場合には、選局テーブルに含まれている最終のチャネル番号を超えていることとなる。このため、Ｓ１１９において、携帯通信装置３００は、現在のチャネル番号を最初のチャネル番号に戻す必要があるため、チャネル番号を１に設定する。
【００４９】
一方、携帯通信装置３００は、チャネル番号＝最大番号＋１が成立しない場合には、Ｓ１２１の処理に移る。
【００５０】
Ｓ１２１において、携帯通信装置３００は、チャネル番号が本動作の処理前の選択チャネル番号と一致するか否か判定する。
【００５１】
携帯通信装置３００は、チャネル番号が本動作の処理前の選択チャネル番号と一致する場合には、本動作の処理前の選択チャネル番号を除く全てのチャネル番号を参照したこととなる。このため、Ｓ１２３において、携帯通信装置３００は、一巡カウンタ値＝一巡カウンタ値＋１を算出する。
【００５２】
一方、携帯通信装置３００は、チャネル番号が本動作の処理前の選択チャネル番号と一致しない場合には、Ｓ１２７の処理に移る。
【００５３】
Ｓ１２５において、携帯通信装置３００は、一巡カウンタ値が第２閾値よりも大きいか否か判定する。
【００５４】
携帯通信装置３００は、一巡カウンタ値が第２閾値よりも大きい場合には、Ｓ１２９において一致チャネル番号が選択されなかったことを示す情報を表示する。
【００５５】
一方、Ｓ１２７において、携帯通信装置３００は、Ｓ１１７のＮＯ又はＳ１１９によって算出されたチャネル番号を選択チャネル番号をして選局テーブルから読み出す。そして、携帯通信装置３００は、Ｓ１０５からの処理を繰り返す。
【００５６】
ここで、放送受信装置２００の利用者が所望の放送電波周波数（例えば、テレビのチャネル）を設定し、当該利用者が当該放送電波周波数に対応する放送内容を視聴している場合を考える。
【００５７】
この場合には、放送受信装置２００の周辺に存在する携帯通信装置３００は、無線部３０１側の無線出力信号と、マイクロホン３０５側のマイクロホン出力信号との一致度が第１閾値を超える場合には、選択チャネル番号を一致チャネル番号として記憶する。
【００５８】
これにより、携帯通信装置３００は、放送受信装置２００の利用者が視聴している放送内容に対応する放送電波周波数と同様の放送電波周波数を設定することができる。このため、携帯通信装置３００は、利用者に対して操作又は発話を行わせることなく、所望の放送電波周波数を適切に設定することができる。
【００５９】
この結果、放送受信装置２００（例えば、テレビ）の利用者が放送受信装置からの放送内容を視聴している場合には、当該テレビ番組等の放送内容に対応する放送電波周波数が携帯通信装置３００に自動的に設定されることとなる。
【００６０】
これにより、利用者は、放送内容を視聴した後に、携帯通信装置３００を所持して外出した場合には、今まで視聴していたテレビ番組等の放送内容に対応する放送電波周波数を設定する必要がないため、当該放送内容を携帯通信装置３００において即座に視聴することができる。
【００６１】
また、放送受信装置２００の周辺で発生している騒音（例えば、道路工事による騒音）によりマイクロホン３０５が放送受信装置２００からの放送音を適切に取得することができずに、携帯通信装置３００が一致チャネル番号を記憶できない場合がある。
【００６２】
ところが、本実施形態では、携帯通信装置３００は、一巡カウンタ値が閾値を超えるまで受信制御処理を繰り返し実行する。
【００６３】
このため、選局テーブルに含まれているチャネル番号の全てが参照された一巡目では騒音が非常に大きくても、その次の２巡目以降において、マイクロホン３０５によって放送音が適切に取得することができる程度まで上記騒音が低減する場合がある。
【００６４】
この場合には、当該２巡目以降においてマイクロホン３０５が放送受信装置２００からの放送音を適切に取得することができるため、携帯通信装置３００は一致チャネル番号を適切に記憶することができる。これにより、携帯通信装置３００は、放送受信装置２００の周辺で騒音が発生している環境下でも、一致チャネル番号を適切に記憶することができる。
【００６５】
［第２実施形態］
第１実施形態では、電源がＯＮされた場合には、図５に示す受信制御処理が常に実行されることになる。これに対して、第２実施形態では、電源がＯＮされた場合でも、当該受信制御処理が常に実行されることはない点で異なる。
【００６６】
以下では、上記第１実施形態に係る無線通信システム及び受信制御方法との相違点について主に説明する。
【００６７】
動作制御部３１１ｅは、携帯通信装置３００を構成する複数の部（選択部３１１ａ、一致度算出部３１１ｂ及び選択制御部３１１ｃ）のうちのいずれか１又は２以上の部における動作処理を所定時間間隔毎に実行させる。
【００６８】
次に、本実施形態に係る受信制御方法について図６を参照しながら説明する。図６に示すように、Ｓ２０１において、携帯通信装置３００は、携帯通信装置３００を構成する複数の部（選択部３１１ａ、一致度算出部３１１ｂ及び選択制御部３１１ｃなど）のうちのいずれか１又は２以上の部における動作処理を開始させる時間（例えば、１０分）をタイマーにセットする。タイマーにセットされた時間は、時間経過に従って順次減算される。なお、タイマーは、計数部３１１ｄを構成する。
【００６９】
Ｓ２０３において、携帯通信装置３００は、タイマーにセットされた時間がゼロ（タイムアウト）であるか否か判定する。携帯通信装置３００は、タイマーにセットされた時間がゼロである場合には、Ｓ２０５において上記図５に示す受信制御処理を実行する。
【００７０】
一方、携帯通信装置３００は、タイマーにセットされた時間がゼロでない場合には、本処理を繰り返す。
【００７１】
かかる特徴によれば、携帯通信装置３００を構成する複数の部（選択部３１１ａ、一致度算出部３１１ｂ及び選択制御部３１１ｃなど）のうちのいずれか１又は２以上の部における動作処理が常に実行されている状態ではないため、携帯通信装置３００は、制御部３１１等において消費される電力を低減させることができる。
【００７２】
［その他の実施形態］
上述したように本発明の一例を説明したが、具体例を例示したに過ぎず、特に本発明を限定するものではなく、各部の具体的構成等は、適宜設計変更可能である。また、各実施形態及び各変更例の構成はそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【００７３】
また、制御部３１１は、利用者からの入力操作に応じて、上記図５に示す受信制御処理を開始してもよい。また、制御部３１１は、計数部３１１ｄ、動作制御部３１１ｅを備えなくてもよい。
【００７４】
さらに、制御部３１１の機能は、コンピューターや通信装置において実行可能な通信プログラムとしても提供することができる。
【図面の簡単な説明】
【００７５】
【図１】第１実施形態に係る無線通信システムの概略構成図である。
【図２】第１実施形態に係る携帯通信装置の機能ブロック図である。
【図３】第１実施形態に係る選局テーブルの内容を示す図である。
【図４】第１実施形態に係る制御部の機能ブロック図である。
【図５】第１実施形態に係る受信制御処理の動作フロー図である。
【図６】第２実施形態に係る受信制御処理の動作フロー図である。
【符号の説明】
【００７６】
１００…放送局、２００…放送受信装置、３００…携帯通信装置、３０１…無線部、３０１ａ…アンテナ、３０３…量子化部、３０５…マイクロホン、３０７…量子化部、３０９…テーブル記憶部、３１１…制御部、３１１ａ…選択部、３１１ｂ…選択制御部 、３１１ｃ…一致度算出部、３１１ｄ…計数部、３１１ｅ…動作制御部、３１３…チャネル番号記憶部、３１５…スピーカー、３１７…表示部
【図１】
2007274548.tif 000003
【図２】
2007274548.tif 000004
【図３】
2007274548.tif 000005
【図４】
2007274548.tif 000006
【図５】
2007274548.tif 000007
【図６】
2007274548.tif 000008